(57)【要約】【課題】印刷動作の強制停止に伴いニス胴に残るニスを自動的に除去することができるインクジェット印刷装置及びそのニス胴の自動清掃方法を提供する。【解決手段】媒体搬送部によって搬送される印刷媒体に対してインクジェットヘッドを用いて画像形成を行う描画部と、インク乾燥部と、インク乾燥部による乾燥後の印刷媒体にニスを塗布するニス胴を有するニス塗布部と、を備えるインクジェット印刷装置において、印刷動作中に媒体搬送動作を強制停止させた場合に、強制停止後に、媒体搬送部を動作させ、強制停止により媒体搬送部の媒体搬送経路に残る残留印刷媒体を排出する媒体搬送を行う際に、残留印刷媒体の少なくとも１枚に対してニス胴を接触させて、ニス胴に付着しているニスを残留印刷媒体によって拭き取る清掃動作を行う。【選択図】図１１
2015044345.tif 000002
【特許請求の範囲】
【請求項１】
印刷媒体を搬送する媒体搬送部と、
前記媒体搬送部によって搬送される前記印刷媒体に対してインクジェットヘッドを用いて画像形成を行う描画部と、
前記描画部により前記印刷媒体に付与されたインクを乾燥させるインク乾燥部と、
前記インク乾燥部による乾燥後の前記印刷媒体の表面に接触して当該印刷媒体にニスを塗布するニス胴を有するニス塗布部と、
印刷動作中に前記媒体搬送部による媒体搬送動作を強制停止させた場合に、
前記媒体搬送動作の強制停止後に、前記媒体搬送部を動作させ、前記強制停止により前記媒体搬送部の媒体搬送経路に残る残留印刷媒体を排出する媒体搬送を行う際に、前記残留印刷媒体の少なくとも１枚に対して前記ニス胴を接触させて、前記ニス胴に付着しているニスを前記少なくとも１枚の残留印刷媒体によって拭き取る清掃動作を行わせる制御を行う制御部と、
を備えるインクジェット印刷装置。
【請求項２】
前記媒体搬送部による前記印刷媒体の搬送不良を検出する搬送不良検出部を備え、
前記搬送不良検出部による検出信号に基づき前記媒体搬送部による媒体搬送動作が強制停止される請求項１に記載のインクジェット印刷装置。
【請求項３】
前記搬送不良検出部は、前記媒体搬送部における前記印刷媒体の搬送方向に対して前記インクジェットヘッドの上流側に設置され、前記印刷媒体の浮き上がり量を検出する請求項２に記載のインクジェット印刷装置。
【請求項４】
インクジェット印刷装置の少なくとも一部を覆うカバー部が開放状態となったことを検出するカバーセンサを備え、
前記カバーセンサによる検出信号に基づき前記媒体搬送部による媒体搬送動作が強制停止される請求項１から３のいずれか１項に記載のインクジェット印刷装置。
【請求項５】
非常停止ボタンを備え、
前記非常停止ボタンが押された場合に前記媒体搬送部による媒体搬送動作が強制停止される請求項１から４のいずれか１項に記載のインクジェット印刷装置。
【請求項６】
前記残留印刷媒体を排出する媒体搬送を実行させる指示を入力する媒体搬送指示部を有し、
前記媒体搬送指示部からの指示の入力に基づき清掃動作が行われる請求項１から５のいずれか１項に記載のインクジェット印刷装置。
【請求項７】
前記ニス塗布部は、
前記ニス胴にニスを供給するニス供給ローラと、
前記ニス供給ローラが前記ニス胴と接触して前記ニス供給ローラから前記ニス胴にニスの供給を行う第１接近状態と、前記ニス供給ローラが前記ニス胴から離間して前記ニス供給ローラからの前記ニス胴へのニスの供給が停止される第１離間状態との切り替えを行う第１接離駆動部と、
前記ニス胴が前記印刷媒体に接触して前記ニス胴から前記印刷媒体へのニスの転写が可能な第２接近状態と、前記ニス胴が前記印刷媒体から離間して前記ニス胴からの前記印刷媒体へのニスの転写が不能となる第２離間状態との切り替えを行う第２接離駆動部と、
を備え、
前記媒体搬送動作を強制停止させる場合に、前記第１接離駆動部により前記第１離間状態とし、かつ前記第２接離駆動部により前記第２離間状態とする制御が行われる請求項１から６のいずれか１項に記載のインクジェット印刷装置。
【請求項８】
前記残留印刷媒体を排出する媒体搬送動作を行う際に、前記第１離間状態を維持したまま、前記第２接離駆動部により前記第２接近状態とすることにより、前記清掃動作を行う請求項７に記載のインクジェット印刷装置。
【請求項９】
前記強制停止後に、前記残留印刷媒体の媒体搬送を行い、前記ニス胴に付着しているニスを前記残留印刷媒体によって拭き取る際の前記残留印刷媒体の媒体搬送速度は、前記強制停止する前の印刷時における媒体搬送速度よりも遅い速度に制御される請求項１から８のいずれか１項に記載のインクジェット印刷装置。
【請求項１０】
前記ニス胴の拭き取りに用いる前記残留印刷媒体は、前記強制停止の前に、前記インク乾燥部による乾燥処理の一部又は全部が行われたものであり、前記インクジェットヘッドによって付与されたインクが少なくとも転写しない程度に硬化した状態となっている請求項１から９のいずれか１項に記載のインクジェット印刷装置。
【請求項１１】
前記インクとして紫外線硬化型インクが用いられ、
前記インク乾燥部は、紫外線照射部を含み、
前記清掃動作に用いる前記残留印刷媒体は、前記媒体搬送動作の強制停止の前に、前記インク乾燥部において少なくとも前記紫外線照射部による紫外線照射の処理が行われたものである請求項１０に記載のインクジェット印刷装置。
【請求項１２】
媒体搬送部によって搬送される印刷媒体に対してインクジェットヘッドを用いて画像形成を行い、印刷媒体に付与されたインクを乾燥させた後に前記印刷媒体の表面にニス胴を接触させて当該印刷媒体にニスを塗布するニス塗布部を備えるインクジェット印刷装置におけるニス胴の自動清掃方法であって、
印刷動作中に前記媒体搬送部による媒体搬送動作を強制停止させた場合に、前記媒体搬送動作の強制停止後に、前記媒体搬送部を動作させて、前記強制停止により前記媒体搬送部の媒体搬送経路に残る残留印刷媒体を排出する媒体搬送を行う際に、前記残留印刷媒体の少なくとも１枚に対して前記ニス胴を接触させて、前記ニス胴に付着しているニスを前記少なくとも１枚の前記残留印刷媒体によって拭き取る清掃動作を行わせるニス胴の自動清掃方法。
【発明の詳細な説明】
【技術分野】
【０００１】
本発明はインクジェット印刷装置及びニス胴の自動清掃方法に係り、特に印刷媒体の画像表面にニスを塗布するためのニス塗布部を具備するインクジェット印刷装置及びそのニス胴の自動清掃方法に関する。
【背景技術】
【０００２】
印刷分野では、印刷物に光沢性や耐擦性等を持たせるために、印刷物の表面の一部又は全面に透明なニス（「ワニス」とも呼ばれる）をコーティングすることが行われている（特許文献１、２）。特許文献１には、印刷ユニットの後段にニスのコーティング装置を備えた印刷機が記載されている。特許文献２には、インクジェット印刷装置に搭載されるコーティング装置が記載されている。
【０００３】
特許文献１、２に記載のように、印刷装置に組み込まれるニスのコーティング装置は塗布ローラ（特許文献１における「コーター版胴」、特許文献２における「版胴」に相当）の表面にニスを供給し、印刷媒体に塗布ローラを接触させて印刷媒体にニスを転写するローラ塗布方式が用いられている。
【先行技術文献】
【特許文献】
【０００４】
【特許文献１】特開２０１０−２２８１３５号公報
【特許文献２】特開２００９−１４９０３７号公報
【発明の概要】
【発明が解決しようとする課題】
【０００５】
印刷装置は、印刷動作中に用紙の搬送不良などが発生する場合がある。そのため、印刷装置には用紙の搬送不良の発生を検知するセンサが設けられ、搬送不良（いわゆるジャム）の発生が検知されると用紙搬送動作を含む印刷動作を強制的に停止する制御が行われる。印刷動作が強制停止された場合、オペレータは、ジャムの発生状況等を確認し、停止原因を解決した後に、印刷を再開させる。
【０００６】
ニスのコーティング装置（ニス塗布部）を具備する印刷装置の場合、ジャムの発生による用紙搬送動作の強制停止に伴い、ニス塗布部におけるニスの塗布処理も停止する。この停止期間中に、塗布ローラとしてのニス胴（「ニス版胴」、「ニス版」、「コーター胴」、「コーター版胴」、「ブランケット」、などと呼ばれる場合がある。本明細書では「ニス胴」と表記する）の表面には未転写のニスが残っているため、ジャム回復後、印刷を再開する前に、オペレータはニス胴の表面に残るニスを手作業で拭き取る清掃作業を行う必要があった。
【０００７】
特に、インクジェット印刷装置の場合、描画部におけるインクジェットヘッドと用紙間の隙間が狭く、用紙搬送系における用紙の浮き上がりに関して、許容される条件が厳しい。そのため、インクジェット印刷装置は、オフセット印刷機と比較して、搬送不良の検知に伴う印刷停止の頻度が高くなると考えられる。
【０００８】
そのため、印刷停止の都度、オペレータがニス胴の表面に残るニスを手作業で拭き取る清掃作業が必要となり、非常に煩雑である。また、清掃作業に時間を要し、生産性が低下する。
【０００９】
かかる課題は、用紙搬送不良の検知に伴う印刷動作の強制停止（急停止）に限らず、非常停止ボタンが押された場合など、様々な事由によって印刷動作が停止した場合にも同様の課題がある。
【００１０】
本発明はこのような事情に鑑みてなされたもので、印刷動作の強制停止に伴いニス胴に残るニスを自動的に除去することができるインクジェット印刷装置及びそのニス胴の自動清掃方法を提供することを目的とする。
【課題を解決するための手段】
【００１１】
上記の課題を解決するために、次の発明を提供する。
【００１２】
（第１態様）：第１態様に係るインクジェット印刷装置は、印刷媒体を搬送する媒体搬送部と、前記媒体搬送部によって搬送される印刷媒体に対してインクジェットヘッドを用いて画像形成を行う描画部と、描画部により印刷媒体に付与されたインクを乾燥させるインク乾燥部と、インク乾燥部による乾燥後の印刷媒体の表面に接触して当該印刷媒体にニスを塗布するニス胴を有するニス塗布部と、印刷動作中に媒体搬送部による媒体搬送動作を強制停止させた場合に、媒体搬送動作の強制停止後に、媒体搬送部を動作させ、強制停止により媒体搬送部の媒体搬送経路に残る残留印刷媒体を排出する媒体搬送を行う際に、残留印刷媒体の少なくとも１枚に対してニス胴を接触させて、ニス胴に付着しているニスを少なくとも１枚の残留印刷媒体によって拭き取る清掃動作を行わせる制御を行う制御部と、を備える。
【００１３】
本態様によれば、強制停止によって機内に残る残留印刷媒体を排出する媒体搬送動作によって、その残留印刷媒体を利用してニス胴を自動的にクリーニングすることができる。
【００１４】
（第２態様）：第１態様に記載のインクジェット印刷装置において、媒体搬送部による印刷媒体の搬送不良を検出する搬送不良検出部を備え、搬送不良検出部による検出信号に基づき媒体搬送部による媒体搬送動作が強制停止される構成とすることができる。
【００１５】
この態様によれば、印刷動作中に印刷媒体の搬送不良が発生した場合、媒体搬送動作を強制停止させる制御が行われる。
【００１６】
（第３態様）：第２態様に記載のインクジェット印刷装置において、搬送不良検出部は、媒体搬送部における印刷媒体の搬送方向に対してインクジェットヘッドの上流側に設置され、印刷媒体の浮き上がり量を検出する構成とすることができる。
【００１７】
インクジェットヘッドのノズル面に印刷媒体が接触することを避けるために、インクジェットヘッドの手前の位置で印刷媒体の浮き上がりを検出する検出部を設置する構成が好ましい。
【００１８】
（第４態様）：第１態様から第３態様のいずれか１項に記載のインクジェット印刷装置において、インクジェット印刷装置の少なくとも一部を覆うカバー部が開放状態となったことを検出するカバーセンサを備え、カバーセンサによる検出信号に基づき媒体搬送部による媒体搬送動作が強制停止される構成とすることができる。
【００１９】
この態様によれば、印刷動作中に、カバー部が開けられた場合、安全上の理由などから、媒体搬送動作を強制停止させる制御が行われる。
【００２０】
（第５態様）：第１態様から第４態様のいずれか１項に記載のインクジェット印刷装置において、非常停止ボタンを備え、非常停止ボタンが押された場合に媒体搬送部による媒体搬送動作が強制停止される構成とすることができる。
【００２１】
この態様によれば、印刷動作中に、非常停止ボタンが押されると、媒体搬送動作を強制停止させる制御が行われる。非常停止ボタンは、物理的な操作スイッチ等であってもよいし、GUI（Graphical User Interface)ボタンであってもよい。
【００２２】
（第６態様）：第１態様から第５態様のいずれか１項に記載のインクジェット印刷装置において、残留印刷媒体を排出する媒体搬送を実行させる指示を入力する媒体搬送指示部を有し、媒体搬送指示部からの指示の入力に基づき清掃動作が行われる構成とすることができる。
【００２３】
強制停止後の残留印刷媒体の排出動作は、オペレータによる指示の入力に応動して行われる構成とすることが好ましい。かかる指示を入力するための媒体搬送指示部は、物理的な操作スイッチ等であってもよいし、GUIボタンであってもよい。
【００２４】
（第７態様）：第１態様から第６態様のいずれか１項に記載のインクジェット印刷装置において、ニス塗布部は、ニス胴にニスを供給するニス供給ローラと、ニス供給ローラがニス胴と接触してニス供給ローラからニス胴にニスの供給を行う第１接近状態と、ニス供給ローラがニス胴から離間してニス供給ローラからのニス胴へのニスの供給が停止される第１離間状態との切り替えを行う第１接離駆動部と、ニス胴が印刷媒体に接触してニス胴から印刷媒体へのニスの転写が可能な第２接近状態と、ニス胴が印刷媒体から離間してニス胴からの印刷媒体へのニスの転写が不能となる第２離間状態との切り替えを行う第２接離駆動部と、を備え、媒体搬送動作を強制停止させる場合に、第１接離駆動部により第１離間状態とし、かつ第２接離駆動部により第２離間状態とする制御が行われる構成とすることができる。
【００２５】
強制停止時はニス供給ローラからニス胴へのニスの供給を停止し、かつニス胴を印刷媒体から離間させた状態とすることが好ましい。
【００２６】
（第８態様）：第７態様に記載のインクジェット印刷装置において、残留印刷媒体を排出する動作を行う際に、第１離間状態を維持したまま、第２接離駆動部により第２接近状態とすることにより、清掃動作を行う構成とすることができる。
【００２７】
強制停止後の残留印刷媒体の排出動作によるニス胴の清掃動作の際には、ニス供給ローラからニス胴へのニスの供給を停止した状態のまま、ニス胴を残留印刷媒体に接触させてニス胴の表面に残るニスを残留印刷媒体に転移させる。
【００２８】
（第９態様）：第１態様から第８態様のいずれか１項に記載のインクジェット印刷装置において、強制停止後に、残留印刷媒体の媒体搬送を行い、ニス胴に付着しているニスを残留印刷媒体によって拭き取る際の残留印刷媒体の媒体搬送速度は、強制停止する前の印刷動作中における媒体搬送速度よりも遅い速度に制御される構成とすることができる。
【００２９】
かかる態様によれば、残留印刷媒体によるニス胴の拭き取り効果を高めることができる。
【００３０】
（第１０態様）：第１態様から第９態様のいずれか１項に記載のインクジェット印刷装置において、ニス胴の拭き取りに用いる残留印刷媒体は、強制停止の前に、インク乾燥部による乾燥処理の一部又は全部が行われたものであり、インクジェットヘッドによって付与されたインクが少なくとも転移しない程度に硬化した状態となっている構成とすることができる。
【００３１】
描画部で付与されたインクが完全に乾燥、硬化した状態となっていることまでは要求されず、ニス胴との接触によってインクが転移しない程度に、乾燥、硬化していればよい。
【００３２】
（第１１態様）：第１０態様に記載のインクジェット印刷装置において、インクとして紫外線硬化型インクが用いられ、インク乾燥部は、紫外線照射部を含み、ニス胴の拭き取りに用いる残留印刷媒体は、強制停止の前に、インク乾燥部において少なくとも紫外線照射部による紫外線照射が行われたものである構成とすることができる。
【００３３】
インクは完全に硬化していなくてもよく、インクが転移しない程度に半硬化していればよい。
【００３４】
（第１２態様）：第１２態様に係るニス胴の自動清掃方法は、媒体搬送部によって搬送される印刷媒体に対してインクジェットヘッドを用いて画像形成を行い、印刷媒体に付与されたインクを乾燥させた後に印刷媒体の表面にニス胴を接触させて当該印刷媒体にニスを塗布するニス塗布部を備えるインクジェット印刷装置におけるニス胴の自動清掃方法であって、印刷動作中に媒体搬送部による媒体搬送動作を強制停止させた場合に、媒体搬送動作の強制停止後に、媒体搬送部を動作させて、強制停止により媒体搬送部の媒体搬送経路に残る残留印刷媒体を排出する媒体搬送を行う際に、残留印刷媒体の少なくとも１枚に対してニス胴を接触させて、ニス胴に付着しているニスを少なくとも１枚の残留印刷媒体によって拭き取る清掃動作を行わせる。
【００３５】
なお、第１２態様において、第２態様から第１１態様で特定した事項と同様の事項を適宜組み合わせることができる。
【発明の効果】
【００３６】
本発明によれば、印刷動作を強制停止させた際にニス胴に残るニスを自動的に除去することができる。これにより、従来のニス胴の拭き取り作業を省くことができる。
【図面の簡単な説明】
【００３７】
【図１】本実施形態に係るインクジェット印刷装置の全体構成図
【図２】本例のインクジェット印刷装置における用紙搬送経路を模式的に示した図
【図３】ニスユニットの構成例を示す図
【図４】図４（Ａ）はニスの非塗布状態を模式的に示した説明図、図４（Ｂ）はニスの塗布状態を模式的に示した説明図
【図５】ニスユニットの制御に関する制御系の要部構成を示すブロック図
【図６】図６（Ａ）は印刷前のニス塗布部の状態を模式的に示した説明図、図６（Ｂ）は印刷直前のニス塗布部の状態を模式的に示した説明図、図６（Ｃ）は印刷開始（ニス塗布開始）時のニス塗布部の状態を模式的に示した説明図
【図７】図７（Ａ）は印刷終盤におけるニス塗布部の状態を模式的に示した説明図、図７（Ｂ）は印刷終了時のニス塗布部の状態を模式的に示した説明図
【図８】ニスコーティング処理のフローチャート
【図９】ジャムの発生に対処する処理のフローチャート
【図１０】図１０（Ａ）は印刷動作中のニス塗布状態を示す説明図、図１０（Ｂ）は強制停止時におけるニス塗布部の停止状態を示す説明図
【図１１】ニス胴拭き取り処理のフローチャート
【図１２】ニス胴の拭き取り清掃動作の説明図
【図１３】図１３（Ａ）はニス胴の拭き取りを終えた様子を示す説明図、図１３（Ｂ）は強制排紙を完了した様子を示す説明図
【図１４】本例のインクジェット印刷装置における制御系の構成を示すブロック図
【発明を実施するための形態】
【００３８】
以下、添付図面に従って本発明の好ましい実施の形態について詳説する。
【００３９】
〔インクジェット印刷装置の全体構成〕
図１は本発明の実施形態に係るインクジェット印刷装置の全体構成図である。同図に示すインクジェット印刷装置１０は、枚葉の用紙Ｐ（「印刷媒体」に相当）に水性の紫外線硬化型インク（「水性ＵＶインク」と表記する）を用いて画像を記録するインクジェット方式の印刷機である。インクジェット印刷装置１０は、給紙部１２と、処理液付与部１４と、処理液乾燥部１６と、インクジェット方式で画像を形成する描画部１８と、インク乾燥部２０と、ニス塗布部２２と、ニス乾燥部２４と、排紙部２６と、を備える。
【００４０】
〈給紙部〉
給紙部１２は、給紙台３０と、サッカー装置３２と、給紙ローラ対３４と、フィーダボード３６と、前当て３８と、給紙胴４０を含んで構成され、給紙台３０に積載された用紙Ｐを１枚ずつ処理液付与部１４へ給紙する。
【００４１】
給紙台３０の上に積載された用紙Ｐは、サッカー装置３２（サクションフィット３２Ａ）によって上から順に１枚ずつ引き上げられて、給紙ローラ対３４（上下一対のローラ３４Ａ，３４Ｂの間）に給紙される。
【００４２】
給紙ローラ対３４に給紙された用紙Ｐは、上下一対のローラ３４Ａ，３４Ｂによって前方に送り出され、フィーダボード３６の上に載置される。フィーダボード３６の上に載置された用紙Ｐは、フィーダボード３６の搬送面に設けられたテープフィーダ３６Ａによって搬送される。
【００４３】
そして、その搬送過程でリテーナ３６Ｂ、ガイドローラ３６Ｃによってフィーダボード３６の搬送面に押し付けられ、凹凸が矯正される。フィーダボード３６によって搬送された用紙Ｐは、先端が前当て３８に当接されることにより、傾きが矯正され、その後、給紙胴４０に受け渡される。そして、給紙胴４０のグリッパ４０Ａにより先端部を把持された用紙Ｐは、給紙胴４０から処理液付与部１４の処理液胴４２へと搬送される。
【００４４】
〈処理液付与部〉
処理液付与部１４は、給紙部１２から給紙された用紙Ｐの表面に処理液を付与する処理（前処理）を行う。処理液付与部１４は、用紙Ｐを搬送する処理液胴４２と、処理液胴４２によって搬送される用紙Ｐの表面に処理液を付与する処理液付与ユニット４４と、を含んで構成される。
【００４５】
処理液は、後段の描画部１８で用紙Ｐに打滴される水性ＵＶインク中の色材成分を凝集させる凝集剤を含む液体で構成される。凝集剤としては、インク組成物のpHを変化させることができる化合物であってもよいし、多価金属塩であっても、ポリアリルアミン類であってもよい。
【００４６】
pHを低下させ得る化合物としては、水溶性の高い酸性物質（リン酸、シュウ酸、マロン酸、クエン酸、若しくは、これらの化合物の誘導体、又は、これらの塩等）が好適に挙げられる。酸性物質は、１種単独で用いてもよく、また、２種以上を併用してもよい。これにより、凝集性を高め、インク全体を固定化することができる。
【００４７】
また、インク組成物のpH（２５℃）は、８．０以上であって、処理液のpH（２５℃）は、０．５〜４の範囲が好ましい。これにより、画像濃度、解像度及びインクジェット記録の高速化を図ることができる。
【００４８】
また、処理液には、添加剤を含有することができる。例えば、乾燥防止剤（湿潤剤）、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤を含有することができる。
【００４９】
このような処理液を用紙Ｐの印刷面に事前に塗布してからインクの打滴を行うことにより、フェザリングやブリーディング等の発生を防止でき、非コート紙のような一般の印刷用紙を使用しても、高品位な印刷を行うことが可能になる。
【００５０】
処理液胴４２は、用紙Ｐを保持して回転搬送させるドラムであり、回転駆動される。処理液胴４２は、その外周面に爪形状のグリッパ４２Ａ（保持手段）を備え、このグリッパ４２Ａによって用紙Ｐの先端を保持できるようになっている。用紙Ｐの先端をグリッパ４２Ａで把持した状態で処理液胴４２が回転し、用紙Ｐを処理液胴４２の周面に巻き付けて搬送する。
【００５１】
処理液付与ユニット４４は、処理液塗布ローラ４４Ａ、処理液容器４４Ｂ、処理液供給ローラ４４Ｃ及びドクターブレード（不図示）を含む。処理液容器４４Ｂには処理液が貯留されており、処理液容器４４Ｂの処理液に処理液供給ローラ４４Ｃの一部が浸漬される。処理液容器４４Ｂから処理液供給ローラ４４Ｃにより一定量に計量された処理液が処理液塗布ローラ４４Ａの表面に転移され、処理液胴４２による用紙Ｐの搬送過程で、処理液塗布ローラ４４Ａを用紙Ｐの表面に押圧当接させることで、処理液塗布ローラ４４Ａから用紙Ｐの表面に処理液が転写される。
【００５２】
なお、処理液を塗布する形態はローラ塗布方式に限定されず、インクジェット方式、ブレードによる塗布など、他の形態を適用することも可能である。
【００５３】
〈処理液乾燥部〉
処理液乾燥部１６は、処理液が付与された用紙Ｐの乾燥処理を行う。処理液乾燥部１６は、用紙Ｐを搬送する処理液乾燥胴４６と、用紙Ｐの裏面を支持（ガイド）する用紙搬送ガイド４８と、処理液乾燥胴４６によって搬送される用紙Ｐの表面（処理液塗布面）に熱風を吹き当てて乾燥させる処理液乾燥ユニット５０と、を含んで構成される。処理液乾燥ユニット５０は、処理液乾燥胴４６の内側に設置される。
【００５４】
処理液付与部１４の処理液胴４２から処理液乾燥胴４６へ受け渡された用紙Ｐは、処理液乾燥胴４６に具備されるグリッパ４６Ａによって先端を把持される。
【００５５】
また、用紙Ｐは、処理液が塗布された表面を、処理液乾燥胴内側に向けた状態で裏面を用紙搬送ガイド４８によって支持される。この状態で処理液乾燥胴４６を回転させることにより用紙Ｐを搬送させる。
【００５６】
処理液乾燥胴４６によって用紙Ｐが搬送される過程で、処理液乾燥ユニット５０から用紙Ｐの表面に熱風が吹き当てられ、処理液中の溶媒成分が除去されて、用紙Ｐの表面にインク凝集層として機能する処理液層が形成される。処理液乾燥部１６により、処理液中の水分が蒸発し、処理液の薄膜層が用紙Ｐの記録面に形成される。このように処理液を薄層化することによって、描画部１８で打滴するインクのドットが用紙Ｐの記録面と接触し、必要なドット径が得られるとともに、薄層化した処理液成分と反応して色材凝集が起こり、用紙Ｐの記録面に固定する作用が得られやすい。
【００５７】
〈描画部〉
描画部１８は、用紙Ｐを搬送する描画胴５２と、描画胴５２に受け渡された用紙Ｐを押圧して、描画胴５２の周面に用紙Ｐを密着させる用紙押さえローラ５４と、用紙Ｐの浮き上がりを検知する用紙浮き検出センサ５５（「搬送不良検出部」に相当）と、用紙Ｐにシアン（Ｃ），マゼンタ（Ｍ），イエロー（Ｙ），黒（Ｋ）の各色のインク液滴を吐出するインクジェットヘッド５６Ｃ，５６Ｍ，５６Ｙ，５６Ｋと、を備える。また、描画部１８は、用紙Ｐに記録された画像を読み取るインラインセンサ５８と、インクミストを捕捉するミストフィルタ６０と、描画胴５２を冷却する胴冷却ユニット６２と、を備える。
【００５８】
描画胴５２は、その外周面に用紙Ｐを保持し、回転搬送させるドラムであり、回転駆動される。描画胴５２は、その外周面に爪形状のグリッパ５２Ａを備え、このグリッパ５２Ａによって用紙Ｐの先端を保持できるようになっている。描画胴５２の周面には、用紙吸着のための図示しない吸引孔（吸着孔）が多数形成されており、吸引孔に発生させた負圧によって用紙Ｐが描画胴５２の周面に吸着保持される。なお、負圧吸引によって用紙Ｐを吸着固定する構成に限らず、例えば、静電吸着により用紙Ｐを吸着保持する構成とすることもできる。
【００５９】
用紙押さえローラ５４は、描画胴５２の外周面に用紙Ｐを密着させるためのガイド部材である。用紙押さえローラ５４は、描画胴５２の外周面に対向し、処理液乾燥胴４６と描画胴５２との間の用紙記録受渡位置よりも用紙搬送方向の下流側であり、且つ、インクジェットヘッド５６Ｃ，５６Ｍ，５６Ｙ，５６Ｋよりも用紙搬送方向の上流側に配置される。
【００６０】
処理液乾燥胴４６から受け渡された用紙Ｐはグリッパ５２Ａによって先端が保持され、描画胴５２の回転により用紙Ｐが用紙押さえローラ５４の下を通過することで、用紙Ｐは描画胴５２の周面に密着する。
【００６１】
用紙浮き検出センサ５５は、用紙押さえローラ５４を通過した用紙Ｐの浮き上がりの有無を検出する。すなわち、用紙浮き検出センサ５５は、用紙Ｐがインクジェットヘッド５６Ｃ，５６Ｍ，５６Ｙ，５６Ｋの直下に進入する直前の用紙Ｐの浮き上がり量を検出する。
【００６２】
用紙浮き検出センサ５５は、例えば、レーザ光を検出光として投光する投光部と、その検出光を受光する受光部とを有している。投光部は、描画胴５２の軸方向の一端から他端に向けて、描画胴５２の回転軸と平行な方向に進行する検出光を描画胴５２の外周面から所定高さの位置（浮き上がりの許容範囲の上限の高さの位置）に投光する。受光部は、投光部から投光された検出光を受光する。
【００６３】
描画胴５２によって搬送される用紙Ｐに許容値以上の浮き上がりが生じていると、検出光が用紙Ｐによって遮光され、受光部で受光される検出光の受光量が低下する。用紙浮き検出センサ５５は、受光部から得られる受光信号に基づき用紙Ｐの浮き上がりの発生の有無を検出する。例えば、受光部で受光された検出光の受光量と閾値とを比較して、閾値以下の場合に浮き（許容値以上の浮き上がり）が発生したと判定することができる。
【００６４】
用紙浮き検出センサ５５により、用紙Ｐの浮き上がり量が所定の許容値を超えていることが検出された場合には、その旨を報知するとともに用紙Ｐの搬送動作が強制停止される。
【００６５】
処理液乾燥胴４６から描画胴５２に受け渡された用紙Ｐは、グリッパ５２Ａによって先端が保持された状態で回転搬送される際に、用紙押さえローラ５４によって押圧され、描画胴５２の外周面に密着する。こうして、用紙Ｐの記録面が外側を向く状態で用紙Ｐが描画胴５２に密着固定され、描画胴５２の回転により、用紙Ｐはインクジェットヘッド５６Ｃ，５６Ｍ，５６Ｙ，５６Ｋの直下の印字領域に送られる。
【００６６】
インクジェットヘッド５６Ｃ，５６Ｍ，５６Ｙ，５６Ｋは、用紙Ｐの幅方向（用紙Ｐの搬送方向と直交する主走査方向）の描画可能範囲に対応する長さにわたってノズルが形成されるライン型の記録ヘッド（ラインヘッド）が適用される。インクジェットヘッド５６Ｃ，５６Ｍ，５６Ｙ，５６Ｋは、用紙Ｐの搬送方向（描画胴５２の回転方向）と直交する方向（描画胴５２の回転軸と平行な方向）に延在するように設置される。
【００６７】
本例に適用されるインクジェットヘッド５６Ｃ，５６Ｍ，５６Ｙ，５６Ｋには、圧電素子のたわみ変形を利用してインクを吐出させる圧電方式が採用される。なお、発明の実施に際して、インクジェットヘッドの吐出方式は特に限定されず、インクを加熱して膜沸騰現象を発生させてインクを吐出させるサーマル方式、帯電させたインクを静電気力によって記録媒体へ着弾させる静電方式など、様々な吐出方式を適用することができる。
【００６８】
描画胴５２の周面に吸着保持され搬送される用紙Ｐは、各インクジェットヘッド５６Ｃ，５６Ｍ，５６Ｙ，５６Ｋの直下のインク打滴領域を通過する際に、各インクジェットヘッド５６Ｃ，５６Ｍ，５６Ｙ，５６ＫからＣ，Ｍ，Ｙ，Ｋの各色のインク液滴が表面に打滴されて、用紙Ｐ表面にカラー画像が描画される。
【００６９】
描画胴５２によって用紙Ｐを一定の速度で搬送し、この搬送方向について、用紙Ｐと各インクジェットヘッド５６Ｃ，５６Ｍ，５６Ｙ，５６Ｋを相対的に移動させる動作を１回行うだけで（すなわち１回の副走査で）、用紙Ｐの画像形成領域に画像を記録することができる。
【００７０】
本例では、ＣＭＹＫの４色のインクを用いるインクジェット印刷装置１０を例示しているが、インク色や色数の組み合わせについては本実施形態に限定されず、必要に応じて淡インク、濃インク、特別色インクを追加してもよい。例えば、ライトシアン、ライトマゼンタなどのライト系インクを吐出するヘッドを追加する構成も可能であり、各色ヘッドの配置順序も特に限定はない。
【００７１】
インクジェットヘッド５６Ｃ，５６Ｍ，５６Ｙ，５６Ｋによって画像が形成された用紙Ｐは、インラインセンサ５８の読取領域を通過する際に、表面に形成された画像が読み取られる。
【００７２】
インラインセンサ５８による画像の読み取りは必要に応じて行われ、画像の読取データから吐出不良、濃度むら等の画像欠陥（画像異常）の検査が行われる。インラインセンサ５８の読取領域を通過した用紙Ｐは、吸着が解除された後、ガイド５９の下を通過して、インク乾燥部２０へと受け渡される。
【００７３】
〈インク乾燥部〉
インク乾燥部２０は、第１チェーン搬送部６４によって搬送される用紙Ｐに対して加熱送風乾燥処理を施す加熱乾燥ユニット６８と、紫外線（ＵＶ；ultraviolet）の照射によるＵＶ乾燥処理を施す紫外線照射ユニット６９（「紫外線照射部」に相当）を含んで構成され、画像形成後の用紙Ｐに対して乾燥処理を施し、インクを定着させる。
【００７４】
ここでいう「乾燥処理」という用語には、用紙Ｐの表面に残存する液体成分を除去する処理の他、紫外線の照射によるインクの硬化処理（いわゆるＵＶ乾燥）も含まれる。加熱乾燥ユニット６８の構成例として、ハロゲンヒータ、赤外線（ＩＲ；infrared radiation）ヒータ等の熱源と、熱源によって熱せられた空気（気体、流体）を用紙Ｐへ吹き付けるファンと、を具備する態様が挙げられる。
【００７５】
紫外線照射ユニット６９は、水性ＵＶインクを用いて記録された画像に紫外線を照射して、用紙Ｐの表面に画像を定着させる。紫外線照射ユニット６９の構成例として、ＵＶ光を発生させる紫外線光源と、ＵＶ光を集光する手段、ＵＶ光を偏向させる手段等として機能する光学系と、を含む態様が挙げられる。
【００７６】
第１チェーン搬送部６４によって搬送される用紙Ｐが紫外線照射ユニット６９のＵＶ光照射領域に到達すると、第１チェーン搬送部６４の内部に設置された紫外線照射ユニット６９によりＵＶ照射処理が施される。
【００７７】
第１チェーン搬送部６４は、第１スプロケット６４Ａ及び第２スプロケット６４Ｂに一対の無端状の第１チェーン６４Ｃが巻き掛けられた構造を有している。また、用紙Ｐの後端の裏面は、第１チェーン搬送部６４との間の一定の距離を離して配置されたガイドプレート７２の用紙保持面に吸着保持される。
【００７８】
描画胴５２から第１チェーン搬送部６４へ受け渡された用紙Ｐは、第１チェーン搬送部６４に具備されるグリッパ６４Ｄによって先端を把持される。先端をグリッパ６４Ｄによって把持され、後端の裏面を用紙保持面に吸着保持されて第１チェーン搬送部６４によって搬送される用紙Ｐは、用紙Ｐの搬送経路において用紙Ｐの表面と対応する位置に配置された紫外線照射ユニット６９からＵＶ光が照射される。ＵＶ光が照射された画像（インク）は、硬化反応が発現して用紙Ｐの表面に定着する。インク乾燥部２０を通過した用紙Ｐは、ニス塗布部２２の用紙搬送を担うニス圧胴６５に受け渡される。
【００７９】
〈ニス塗布部〉
ニス塗布部２２は、用紙Ｐを搬送するニス圧胴６５と、ニス圧胴６５で運ばれる用紙Ｐに対してニスを塗布するニスユニット８０と、を備える。ニス圧胴６５は、処理液胴４２と同様の構成であり、用紙Ｐを保持して回転搬送させるドラムである。ニス圧胴６５は、その外周面に爪形状のグリッパ（不図示）を備え、このグリッパによって用紙Ｐの先端を保持できるようになっている。
【００８０】
ニスユニット８０は、ニス圧胴６５に巻かれた用紙Ｐに接触して用紙Ｐの表面にニスを転写塗布するニス塗布ローラとして機能するニス胴８２と、ニス胴８２の表面に一定量のニスを供給するニス供給ローラ８４と、ニス供給ローラ８４にニスを供給するニスチャンバー８６とを含み、用紙Ｐの表面にニスを塗布するコーティング装置（インラインニスコーター装置）として機能する。ニスユニット８０の詳細構成については後述する。
【００８１】
使用されるニスの種類については、特に限定はなく、例えば、油性ニス、水性ニス、紫外線硬化型ニス（ＵＶニス）のいずれの種類を用いることができる。なお、ニス胴８２に樹脂版を用いることにより、用紙Ｐ上の所望の部位のみに選択的にニスを塗布するパターンのニス塗り（いわゆる「スポットニス」）が可能である。
【００８２】
〈ニス乾燥部〉
ニス乾燥部２４は、ニス塗布部２２において用紙Ｐ表面に塗布されたニスを乾燥させる処理を行う。ニス塗布部２２にて使用されるニスの種類に合わせて、適切な乾燥ユニット７４が設置される。油性ニスや水性ニスが用いられる場合には、赤外線ヒータと送風装置とを組み合わせた加熱乾燥ユニットが設置される。
【００８３】
ＵＶニスが用いられる場合には、加熱乾燥ユニットに代えて、又はこれと組み合わせて、紫外線照射ユニットが設置される。また、乾燥ユニット７４には、用紙Ｐに対して冷風を吹き付ける冷風装置を設置することができる。
【００８４】
第２チェーン搬送部６６は、第３スプロケット６６Ａ及び第４スプロケット６６Ｂに一対の無端状の第２チェーン６６Ｃが巻き掛けられた構造を有している。第２チェーン搬送部６６に受け渡された用紙Ｐは傾斜搬送路７０Ｂを経由して排紙部２６へ送られる。傾斜搬送路７０Ｂの部分に乾燥ユニット７４が設置されており、傾斜搬送路７０Ｂを通過する用紙Ｐに対して、ニス乾燥の処理が行われる。また、傾斜搬送路７０Ｂにおいて、用紙Ｐの後端の裏面は、第２チェーン搬送部６６との間の一定の距離を離して配置されたガイドプレート７５の用紙保持面に吸着保持される。
【００８５】
〈排紙部〉
排紙部２６は、ニス乾燥部２４の後段に設けられている。処理液付与→インクジェット描画→インク乾燥→ニスコート→ニス乾燥の一連の画像形成処理が行われた用紙Ｐを回収する排紙部２６は、用紙Ｐを積み重ねて回収する排紙台７６を含んで構成される。
【００８６】
第２チェーン搬送部６６のグリッパ６６Ｄは、排紙台７６の上で用紙Ｐを解放し、排紙台７６の上に用紙Ｐをスタックさせる。排紙台７６は、第２チェーン搬送部６６から解放された用紙Ｐを積み重ねて回収する。排紙台７６には、用紙Ｐが整然と積み重ねられるように、不図示の用紙当て（前用紙当て、後用紙当て、横用紙当て等）が備えられる。
【００８７】
また、排紙台７６は、図示しない排紙台昇降装置によって昇降可能に設けられる。排紙台昇降装置は、排紙台７６にスタックされる用紙Ｐの増減に連動して、その駆動が制御され、最上位に位置する用紙Ｐが常に一定の高さに位置するように、排紙台７６を昇降させる。
【００８８】
給紙胴４０、処理液胴４２、処理液乾燥胴４６、描画胴５２、第１チェーン搬送部６４、ニス圧胴６５、第２チェーン搬送部６６を含む用紙搬送系が「媒体搬送部」を構成している。そして、用紙Ｐを搬送する動作が「媒体搬送動作」に相当し、給紙台３０から送り出された用紙Ｐの搬送経路が「媒体搬送経路」に相当する。
【００８９】
図２は、参考のために、本実施形態のインクジェット印刷装置１０における用紙搬送経路を模式的に示した図である。図２に示すように、給紙部１２から処理液付与部１４、処理液乾燥部１６、描画部１８、インク乾燥部２０、ニス塗布部２２、ニス乾燥部２４を経て排紙部２６に至る。
【００９０】
〈ニスユニットの構成〉
図３はニスユニットの構成例を示す図である。ニスユニット８０は、ユニットフレーム１０２の内側に、ニス胴８２、ニス供給ローラ８４、ニスチャンバー８６、ニス受皿１０４、昇降モータ１０６が収容されている。ニス胴８２とニス供給ローラ８４とニスチャンバー８６とニス受皿１０４は共通のサブフレーム１１０に搭載されており、ニス胴８２を含むサブフレーム１１０を一体的に昇降モータ１０６によって昇降動作させる構成となっている。
【００９１】
ニス胴８２は、ニス圧胴６５によって搬送される用紙Ｐにニスを転写するシリンダーである。ニス胴８２は用紙Ｐが到着するタイミングまでは非接触状態にしておき、用紙到着タイミングでニス圧胴６５上を搬送されている用紙Ｐと接触させ、当該用紙Ｐにニスを転写する。ニス胴８２はサーボモータ制御により、ニス圧胴６５に対する接離駆動が可能であり、また、用紙Ｐに対してニス胴８２をどの程度の押し当て圧で接触させるか、押圧調整を行うこともできる。
【００９２】
昇降モータ１０６（「第２接離駆動部」に相当）は、ニス圧胴６５に対してニス胴８２を接離させる手段として機能する。すなわち、昇降モータ１０６の駆動によって、ニス胴８２をニス圧胴６５に接近させて用紙Ｐ（図３中図示せず）にニスを塗布することができる接近位置（ニス塗布状態、「第２接近状態」に相当）に移動させることができる。また、昇降モータ１０６の駆動により、ニス胴８２をニス圧胴６５から離間させて用紙Ｐへのニスの塗布が不可能となる退避位置（離間位置、ニス非塗布状態であり「第２離間状態」に相当）に移動させることができる。
【００９３】
また、ニス供給ローラ８４はニス胴８２に対して接離可能であり、ニス供給ローラ８４をニス胴８２の表面にニスを供給できる接近位置（「第１接近状態」に相当）と、ニス胴８２から離間してニスの供給を停止する退避位置（離間位置、「第１離間状態」に相当）とに切り替えることができる。サブフレーム１１０には、ニス胴８２に対するニス供給ローラ８４の接離駆動を行うためのアクチュエータ１１２が搭載されている。また、ニス供給ローラ８４はサーボモータ制御により、回転速度の調整が可能である。
【００９４】
ニスチャンバー８６は、ニス循環装置（図３において不図示）に接続されており、ニス供給ローラ８４に対してニスを供給する。ニスチャンバー８６にはニス供給ローラ８４の周面に接触して余剰液を掻き落とすためのチャンバーブレード（不図示）が設けられている。
【００９５】
また、ユニットフレーム１０２の底面部には、ニス圧胴６５によって搬送される用紙Ｐにニス胴８２を接触させるための開口部１１４を開閉するシャッターとして機能する安全ガード１２０が設けられている。
【００９６】
ニスチャンバー８６からニス供給ローラ８４に供給されたニスは、ニス供給ローラ８４からニス胴８２に転移され、このニス胴８２とニス圧胴６５との対接点を通過する用紙Ｐにニス胴８２が接触することにより、用紙Ｐの表面にニスがコーティングされる。
【００９７】
図４（Ａ），（Ｂ）は、ニスユニット８０によるニスの非塗布状態と塗布状態とを模式的に示した説明図である。図４（Ａ）は、ニスを使用しない場合（ニスコータOFFの状態）を示し、図４（Ｂ）はニスを使用する場合（ニスコータONの状態）を示している。
【００９８】
図３で説明したとおり、ニス胴８２を含むサブフレーム１１０の全体を昇降モータ１０６によって昇降動作させることで、図４（Ａ）、（Ｂ）の状態を切り替えることができる。
【００９９】
すなわち、図４（Ａ）に示すように、ニス胴８２をニス圧胴６５から遠ざかる方向に離して退避させた離間状態（「第２離間状態」）と、図４（Ｂ）に示すように、ニス胴８２をニス圧胴６５に近づけてニス圧胴６５上の用紙Ｐにニス胴８２を接触させる接触状態（「第２接近状態」）とを切り替えることができる。
【０１００】
ニスを使用しない場合には、図４（Ａ）のように、安全ガード１２０が開口部１１４と重なる位置に進出して開口部１１４を閉ざす。ニスを使用する場合には、図４（Ｂ）のように、安全ガード１２０が開口部１１４から退避して開口部１１４を開放させる。これにより、開口部１１４を介してニス胴８２をニス圧胴６５上の用紙Ｐと接触させることができる。
【０１０１】
なお、図には示されていないが、ニスユニット８０には、安全ガード１２０を開閉動作させるためのエアシリンダや、サブフレームの原点位置を検知するためのセンサが設けられている。
【０１０２】
このようなニスユニット８０の構成を採用したことにより、ニスを使用しない印刷時にニスユニット８０の清掃や、次の印刷ジョブの準備を行うことができる。また、ニスを使用しない印刷時にニス胴８２を上方向へ退避させておくことで、用紙傷の発生を防止することができる。
【０１０３】
図５はニスユニットの動作制御に関する制御系の要部構成を示すブロック図である。
【０１０４】
ニスユニット８０のサブフレーム１１０には、ニス胴８２を回転させるニス胴駆動用モータ１３２と、ニス供給ローラ８４を回転させるニス供給ローラ駆動用モータ１３４と、ニス胴８２に対してニス供給ローラ８４をニス供給可能な接近位置とニス供給不能な退避位置（離間位置）とに移動させため動力源としてのニス供給ローラ接離用エアシリンダ１３６（「第１接離駆動部」に相当）と、ニス供給ローラ接離用エアシリンダ１３６の駆動によってニス胴８２に対するニス供給ローラ８４の接離動作を達成する機構部としてのニス供給ローラ接離機構１３８とが搭載されている。
【０１０５】
ニスチャンバー８６はニス循環装置１４０と接続されており、ニス循環装置１４０からニスチャンバー８６にニスが供給され、ニスチャンバー８６からニス循環装置１４０にニスが回収される循環流路構造となっている。
【０１０６】
サブフレーム１１０は、昇降モータ１０６の駆動によって昇降動作可能なサブフレーム昇降機構１４４に支持されている。昇降モータ１０６としてサーボモータが用いられ、昇降モータ１０６の駆動により昇降動作するサブフレーム１１０の位置を把握するために、ニスユニット８０にはサブフレーム位置検出センサ１４６が設けられている。サブフレーム位置検出センサ１４６として、サブフレーム１１０の原点位置を検知するセンサを用いることができる。
【０１０７】
また、ニスユニット８０は、安全ガード１２０を駆動するための安全ガード開閉用エアシリンダ１４８を備えている。
【０１０８】
ニスユニット８０における昇降モータ１０６、ニス胴駆動用モータ１３２、ニス供給ローラ駆動用モータ１３４、ニス供給ローラ接離用エアシリンダ１３６、ニス循環装置１４０、安全ガード開閉用エアシリンダ１４８の動作は、制御部１５０によって制御される。なお、ニス循環装置１４０は、制御部１５０による制御から切り離して、独立運転させる構成とすることができる。ニスユニット８０の制御について詳細は後述する。
【０１０９】
インクジェット印刷装置１０は、用紙浮き検出センサ５５の他、インクジェット印刷装置１０の少なくとも一部を覆う図示せぬカバーパネル（「カバー部」に相当）の開閉状態を検知するカバーセンサ１５４と、オペレータによる緊急停止の操作を行うための操作手段としての非常停止ボタン１５６とが設けられている。
【０１１０】
用紙浮き検出センサ５５の検出信号は制御部１５０に送られる。同様に、カバーセンサ１５４からの検出信号や非常停止ボタン１５６からの停止指令信号は制御部１５０に送られる。
【０１１１】
用紙浮き検出センサ５５によって許容値を超える用紙の浮き上がりが検知されると、制御部１５０は、用紙搬送駆動用モータ１６０を停止させる制御を行い、用紙搬送部１６２による用紙Ｐの搬送動作を強制的に停止させる。
【０１１２】
同様に、カバーセンサ１５４によってカバーパネルの開放状態が検知された場合や、非常停止ボタン１５６が押された場合も、制御部１５０は、用紙搬送駆動用モータ１６０を停止させる制御を行い、用紙搬送部１６２による用紙Ｐの搬送動作を強制的に停止させる。
【０１１３】
印刷動作中に、上記の強制停止が行われると、用紙搬送部１６２の用紙搬送経路内には複数枚の用紙Ｐが残される。そのため強制停止後に、オペレータが必要な確認作業等を行って、印刷を再開させる際には、用紙搬送経路内に残留している用紙Ｐ（残留印刷媒体に相当）を排出する処理を行う。
【０１１４】
インクジェット印刷装置１０は、上述した強制停止に伴う残留印刷媒体を排出するための紙送り指示を与えることができるユーザーインターフェースとしての用紙送り指示部１６６（「媒体搬送指示部」に相当）を備えている。用紙送り指示部１６６からの指令信号に基づき、制御部１５０は用紙搬送駆動用モータ１６０を駆動制御し、かつ、ニスユニット８０の動作を制御する。
【０１１５】
〈ニス塗布部の動作説明〉
ここで、ニス塗布部の動作について説明する。
【０１１６】
図６（Ａ）は印刷前の状態、図６（Ｂ）は印刷直前の状態、図６（Ｃ）は印刷開始（ニス塗布開始）の状態を模式的に示している。
【０１１７】
印刷前の状態では、図６（Ａ）のように、ニス胴８２はニス圧胴６５から離れた退避位置にあり、ニス胴８２とニス供給ローラ８４も非接触の状態となっている。なお、ニス供給ローラ８４はニスチャンバー８６内のニスを撹拌させるために回転させている。
【０１１８】
印刷直前の状態では、図６（Ｂ）のように、ニス供給ローラ８４をニス胴８２に接触させ、ニス胴８２の表面にニス１７０を供給する。
【０１１９】
その後、印刷開始時には、図６（Ｃ）のように、ニス胴８２をニス圧胴６５に接近させる。ニス圧胴６５とニス胴８２との対接点に用紙Ｐが到来すると、ニス胴８２が用紙Ｐに接触し、ニス胴８２から用紙Ｐの表面にニス１７０が転写される。印刷ジョブで指定されている印刷枚数分の画像形成とニスコーティングが行われる。
【０１２０】
用紙間においてニス胴８２をニス圧胴６５から退避させる制御を行うことも可能であるが、用紙間などニスの塗布が不要な領域に対応させてニス胴８２の表面をパターニングしておくことで、ニスの塗布／非塗布の選択が可能である。
【０１２１】
印刷ジョブの印刷終盤では、印刷ジョブで指定されている印刷必要枚数よりも規定枚数（例えば、３枚）だけ多く用紙Ｐの供給が行われ、印刷必要枚数の画像形成が終わった後に規定枚数分の用紙Ｐの搬送が継続される。この追加搬送される規定枚数分の用紙Ｐは、ニス胴８２の表面に残るニスを拭き取るためのクリーニングシートとして機能する。規定枚数については、１枚以上任意の枚数を設定することができる。必要最小限の枚数に設定することが好ましく、通常は１〜３枚程度で十分に清掃効果が得られる。
【０１２２】
図７（Ａ）に示すように、印刷ジョブにおける印刷必要枚数の最後の用紙Ｐ（k）に対するニスコートが完了したら、ニス供給ローラ８４をニス胴８２から離間させて、ニスの供給を停止する。そして、後続の用紙Ｐ（k+１）に対してニス胴８２の表面に残るニスを転写する。規定枚数分（２〜３枚程度）の用紙Ｐをニス胴８２に接触させることにより、ニス胴８２の表面のニスが拭き取られ、ニス胴８２がクリーニングされる。
【０１２３】
規定枚数分の用紙Ｐでニス胴８２表面の拭き取り（クリーニング）を実行したら、その後、図７（Ｂ）に示すように、ニス胴８２をニス圧胴６５から退避させて、印刷を終了する。
【０１２４】
このような処理を行うことで、印刷完了時のニス胴８２の表面を自動的にクリーニングし、次の印刷ジョブに備えることができる。
【０１２５】
図８は、図６（Ａ）−（Ｃ）及び図７（Ａ）−（Ｂ）で説明したニスコーティング処理のフローチャートである。
【０１２６】
図８に示すニスコーティング処理が開始されると、まず、ニス供給ローラ８４を回転させる（ステップＳ１２）。このとき、ニス供給ローラ８４とニス胴８２とは非接触の状態となっている（図６（Ａ）参照）。その後、ニス供給ローラ８４をニス胴８２に接触させ（図６（Ｂ）参照）、ニス胴８２にニスを供給する（図８のステップＳ１４）。
【０１２７】
印刷が開始され、ニス塗布部２２に用紙Ｐが搬送されてきたら、ニス胴８２を用紙Ｐに接触させ（図６（Ｃ））、用紙Ｐに対してニスを塗布する（図８のステップＳ１６）。
【０１２８】
次いで、印刷ジョブで指定されている必要枚数の印刷（ニス塗布を含む）が終了したか否かが判定される（ステップＳ１８）。必要枚数の印刷が終了していなければ、ステップＳ１４〜ステップＳ１６の処理を継続して、必要枚数の印刷を行う。
【０１２９】
必要枚数の印刷が終了してステップＳ１８でＹｅｓ判定になると、ニス供給ローラ８４をニス胴８２から離間させ（図７（Ａ））、ニス胴へのニスの供給を停止する（図８のステップＳ２０）。この状態でさらに連続的に用紙を送り、ニス胴表面のニスを用紙に転写する。予め設定されている規定枚数分の用紙がニス胴８２を通過したか否かを判定し（ステップＳ２４）、規定枚数分の用紙が未通過であれば、用紙の搬送を継続する。規定枚数分の用紙がニス胴８２を通過した場合には（ステップＳ２４でＹｅｓ）、ニス胴８２をニス圧胴６５から退避させ（ステップＳ２６、図７(Ｂ)参照）、印刷動作を終了させる（ステップＳ２８）。
【０１３０】
図６〜図８で説明したように、印刷ジョブの実行プログラムは、印刷必要枚数の後に追加した規定枚数の最後の数枚に対しては、ニスを完全に塗らずに、ニス胴８２へのニス供給を停止した状態で、ニス胴表面に残ったニスを用紙に転写させて、ニス胴表面をきれいな状態に保ち、次の印刷ジョブに移行させるニス胴クリーニング機能を備えている。
【０１３１】
さらに、本インクジェット印刷装置は、印刷ジョブの実行中（すなわち、印刷動作中）に、用紙浮き検出センサ５５によって用紙浮きが検知されるなど、用紙搬送不良（いわゆる「ジャム」）の発生が検知されると、用紙Ｐの搬送を強制的に停止させる制御が行われる。また、用紙Ｐの搬送を強制停止させるだけでなく、処理液付与部１４、処理液乾燥部１６、描画部１８、インク乾燥部２０、ニス塗布部２２、ニス乾燥部２４の各部の動作も停止させる。
【０１３２】
<ジャムが発生した場合のニスユニットの動き>
図９は、ジャムの発生に対処する処理のフローチャートである。印刷ジョブの実行中は、用紙浮き検出センサ５５から得られる検出信号を監視し（ステップＳ５２）、用紙浮き検出センサ５５からの検出信号に基づきジャムの発生の有無を判定する（ステップＳ５４）。ジャムが発生していなければ、そのまま印刷動作が継続され、図１０（Ａ）に示すように、ニス胴８２が用紙Ｐ(j)に接触して用紙表面にニスの塗布が行われる。
【０１３３】
その一方、ジャムの発生が検知されると（図９のステップＳ５４でＹｅｓ判定）、用紙搬送が強制停止される（ステップＳ５６）。また、ジャムが発生した場合には、処理液付与、処理液乾燥、描画、インク乾燥、ニス塗布、ニス乾燥もすべて停止する。
【０１３４】
ニス塗布部２２の動きについて注目すると、ジャムが発生した場合には、ニス供給ローラ８４をニス胴８２から離間させ、ニス胴８２へのニス供給が停止される（図９のステップＳ５８）。さらに、ニス胴８２をニス圧胴６５から離れる方向の退避位置へ移動させる（ステップＳ６０）、図１０（Ｂ）参照）。
【０１３５】
その後、オペレータは、ジャムの発生状況を確認し、必要に応じてジャムの原因を取り除くなどの対処作業を行う（図９のステップＳ６２）。制御部１５０は、用紙送り指示部１６６からの指示入力の有無に基づいて確認作業の完了／未完了を判定する（ステップＳ６４）。オペレータによるジャム確認作業が完了するまで、印刷動作は中断した状態となる。なお、この対処作業中もニス供給ローラ８４の回転は継続される。
【０１３６】
対処作業が完了して、オペレータが用紙送り指示部１６６から用紙送りの指示を入力すると、「確認ＯＫ」と判定され（ステップＳ６４でＹｅｓ）、ニス胴拭き取り処理のモードに入る（ステップＳ６６）。すなわち、用紙搬送経路内に残っている用紙（残留用紙）を強制排紙する動作と合わせて、ニス胴拭き取り処理（ステップＳ６６）が行われる。
【０１３７】
図１１は、ニス胴拭き取り処理のフローチャートである。
【０１３８】
ニス胴拭き取り処理は、用紙搬送路内に残っている用紙の排出動作を活用して、ニス胴表面に残るニスの拭き取りを行うものである。本例では、強制停止によって用紙搬送経路内にはニス塗布部２２よりも上流側に５〜６枚の用紙が残される。本実施形態のインクジェット印刷装置１０は、ニス塗布部２２よりも上流側に残る少なくとも１枚の残留用紙をニス胴８２に接触させることでニス胴８２の表面に残っているニスの拭き取り清掃を行うニス胴の自動清掃機能を備えている。
【０１３９】
用紙送りの指示の入力を受けて、図１１に示すニス胴拭き取り処理が開始されると、用紙搬送路内に残る用紙を強制排紙するための用紙送り動作を開始する（ステップＳ８２）。この強制排紙のための用紙送り動作を「用紙パージ動作」と呼ぶ場合があり、強制排紙の対象となる捨て紙を「パージ紙」と呼ぶ場合がある。用紙パージ動作の際の用紙搬送速度（強制排紙搬送速度）は、通常の印刷時の用紙搬送速度（印刷搬送速度）よりも遅い速度とすることができる。特に、パージ紙を用いてニス胴表面のニスを拭き取る清掃動作中の用紙搬送速度（ニス胴拭き取り搬送速度）を、印刷搬送速度よりも遅い速度とすることにより、拭き取り効果を高めることが可能である。ここでいう用紙搬送速度が「媒体搬送速度」に相当する。
【０１４０】
この用紙パージ動作の際には、給紙部１２から新たな用紙の供給は行われず、また、処理液付与、処理液乾燥、描画、インク乾燥、ニス乾燥などの動作は停止したまま、用紙搬送経路内に残っている用紙について用紙送りが実施される。
【０１４１】
強制排紙の用紙送りの開始に合わせて、ニス胴８２を用紙Ｐに接触させ、ニス胴表面に残るニスを用紙Ｐに転移させる（ステップＳ８４）。このとき、図１２に示すように、ニス供給ローラ８４はニス胴８２から離れた状態が維持されており、ニス胴８２に対する新たなニスの供給は停止されているため、ジャムによる緊急停止時にニス胴８２の表面に付着しているニスがパージ紙としての残留用紙Ｐ（j+1）に転写されることになる。
【０１４２】
ニス胴８２に対して規定枚数のパージ紙が通過したか否かが判定され（図１１のステップＳ８６）、規定枚数の残留用紙でニス胴８２の拭き取りが終わったら（ステップＳ８６でＹｅｓ）、ニス胴８２をニス圧胴６５から退避させる（ステップＳ８８）。
【０１４３】
図１３（Ａ）では、規定枚数（m枚）のm枚目の残留用紙Ｐ(j+m)でニス胴８２を拭き終わった後、ニス胴８２をニス圧胴６５から退避させた様子が示されている。
【０１４４】
その後、残留用紙をすべて排出したか否かの判定が行われ（図１１のステップＳ９０）、残留用紙をすべて排出するまで、排紙処理（用紙パージ動作）が行われる。なお、ニス胴拭き取り清掃後の強制排紙時の用紙搬送速度は、ニス胴拭き取り時の用紙搬送速度よりも速くすることが可能である。
【０１４５】
パージ紙の排紙処理が完了したら（図１１のステップＳ９０でＹｅｓ）、用紙パージ動作のための用紙送りを停止する（ステップＳ９２）。こうして、図１３（Ｂ）で示すように、ニス胴８２の表面にニスが付着していない状態が得られる。その後は、中断した印刷ジョブを再開してもよいし、或いは、新たな印刷ジョブを開始してもよい。
【０１４６】
印刷ジョブの印刷動作の再開は、オペレータからの指示の入力に基づいて実行されてもよいし、自動的に再開させるようにプログラムされていてもよい。
【０１４７】
本実施形態において、ニス胴８２の拭き取り清掃に用いる残留用紙は、用紙に付与されているインクが転移しない程度に乾燥、硬化していることが望ましい。残留用紙を排出する紙送り動作の際には、インク乾燥部２０を起動させないことが望ましいため、強制停止前に、インク乾燥部２０における乾燥処理の少なくとも一部が行われて、インクが乾燥、硬化（半硬化を含む）した状態の残留用紙をニス胴の清掃に利用することが好ましい。ＵＶインクの場合、少なくとも紫外線照射が行われた用紙であることが好ましい。或いはまた、描画部におけるインク付与がなされていない用紙をニス胴の清掃に用いてもよい。
【０１４８】
<強制停止の原因について>
図９では用紙浮き検出センサ５５の検出信号に基づくジャム検知による強制停止と、その対処について説明したが、強制停止の原因はこの例に限らない。用紙浮き検出センサ５５以外の他のセンサによって、用紙搬送不良を検出して、用紙搬送動作を停止させてもよい。また、カバーセンサ１５４によって用紙搬送動作を停止させたり、非常停止ボタン１５６によって用紙搬送動作を停止させることもあり、いずれの場合も、強制停止後の用紙送り（用紙パージ動作）の際に、図１１で説明したニス胴の拭き取り清掃動作が実施される。
【０１４９】
図１１のフローチャートに沿ったニス胴の拭き取り清掃動作の処理の内容が「ニス胴の自動清掃方法」の実施形態に相当している。
【０１５０】
〈インクジェット印刷装置の制御系の説明〉
図１４は、インクジェット印刷装置１０の制御系の概略構成を示すブロック図である。なお、図１４中、図５で説明した要素と同一の要素には同一の符号を付した。図１４に示すように、インクジェット印刷装置１０は、システムコントローラ２００、通信部２０２、画像メモリ２０４、搬送制御部２１０、給紙制御部２１２、処理液付与制御部２１４、処理液乾燥制御部２１６、描画制御部２１８、インク乾燥制御部２２０、ニス塗布制御部２２２、ニス乾燥制御部２２４、排紙制御部２２６、操作部２３０、表示部２３２等を備える。
【０１５１】
システムコントローラ２００は、インクジェット印刷装置１０の各部を統括制御する制御手段として機能し、かつ、各種演算処理を行う演算手段として機能する。このシステムコントローラ２００は、ＣＰＵ（Central Processing Unit）２００Ａ及び、ＲＯＭ（Read Only Memory）２００Ｂ、ＲＡＭ（Random Access Memory）２００Ｃを内蔵している。なお、ＲＯＭ１００Ｂ、ＲＡＭ１００Ｃ等のメモリは、システムコントローラ２００の外部に設けられていてもよい。
【０１５２】
通信部２０２は、所要の通信インターフェースを備え、通信インターフェースと接続されたホストコンピュータ３００との間でデータの送受信を行う。
【０１５３】
画像メモリ２０４は、画像データを含む各種データの一時記憶手段として機能し、システムコントローラ２００を通じてデータの読み書きが行われる。通信部２０２を介してホストコンピュータから取り込まれた画像データは、一旦画像メモリ２０４に格納される。
【０１５４】
搬送制御部２１０は、インクジェット印刷装置１０における用紙Ｐの搬送系２５０の動作（給紙部１２から排紙部２６までの用紙Ｐの搬送）を制御する。搬送系２５０には、図１で説明した給紙部１２におけるテープフィーダ３６Ａ、前当て３８、給紙胴４０、処理液付与部１４における処理液胴４２、処理液乾燥部１６における処理液乾燥胴４６、描画部１８における描画胴５２、インク乾燥部２０の第１チェーン搬送部６４、ニス塗布部２２のニス圧胴６５、ニス乾燥部２４及び排紙部２６の第２チェーン搬送部６６が含まれる（図１参照）。
【０１５５】
給紙制御部２１２は、システムコントローラ２００からの指令に応じて、給紙ローラ対３４の駆動、テープフィーダ３６Ａの駆動等の給紙部１２の各部の動作を制御する。
【０１５６】
処理液付与制御部２１４は、システムコントローラ２００からの指令に応じて、処理液付与ユニット４４の動作等の処理液付与部１４の各部の動作（処理液の付与量、付与タイミング等）を制御する。
【０１５７】
処理液乾燥制御部２１６は、システムコントローラ２００からの指令に応じて、処理液乾燥部１６の各部の動作を制御する。すなわち、処理液乾燥制御部２１６は、乾燥温度、乾燥気体の流量、乾燥気体の噴射タイミングなど、処理液乾燥ユニット５０（図１参照）の動作を制御する。
【０１５８】
描画制御部２１８は、システムコントローラ２００からの指令に応じて、描画部１８（インクジェットヘッド５６Ｃ，５６Ｍ，５６Ｙ，５６Ｋ、図１参照）からのインク打滴（吐出）を制御する。
【０１５９】
すなわち、描画制御部２１８は、入力画像データからドットデータを形成する画像処理部と、駆動電圧の波形を生成する波形生成部（不図示）と、駆動電圧の波形を記憶する波形記憶部と、インクジェットヘッド５６Ｃ，５６Ｍ，５６Ｙ，５６Ｋのそれぞれに対して、ドットデータに応じた駆動波形を有する駆動電圧を供給する駆動回路と、を含んで構成される。画像処理部では、入力画像データ（例えば、０から２５５のデジタル値で表されるラスターデータ）に対して色変換処理、ガンマ補正、むら補正等の補正処理、Ｍ値の各色のデータをＮ値（Ｍ＞Ｎ、Ｍは３以上の整数、Ｎは２以上の整数）の各色データに変換するハーフトーン処理（量子化処理）が施される。
【０１６０】
画像処理部による処理を経て生成されたドットデータに基づいて、各画素位置の打滴タイミング、インク打滴量が決められ、各画素位置の打滴タイミング、インク打滴量に応じた駆動電圧、駆動信号（各画素の打滴タイミングを決める制御信号）が生成される。この駆動電圧がインクジェットヘッド５６Ｃ，５６Ｍ，５６Ｙ，５６Ｋへ供給され、インクジェットヘッド５６Ｃ，５６Ｍ，５６Ｙ，５６Ｋから打滴されたインク液滴によって各画素位置にドットが形成される。
【０１６１】
インク乾燥制御部２２０は、システムコントローラ２００からの指令に応じて、インク乾燥部２０の動作を制御する。すなわち、インク乾燥制御部２２０は、乾燥温度、乾燥気体の流量、乾燥気体の噴射タイミングなど、加熱乾燥ユニット６８（図１参照）の動作を制御する。また、インク乾燥制御部２２０は、ＵＶ照射制御部を含み、システムコントローラ２００からの指令に応じて、紫外線照射ユニット６９によるＵＶ光の照射光量（ＵＶ光の強度（照射量））を制御し、かつ、ＵＶ光の照射タイミングを制御する。
【０１６２】
ニス塗布制御部２２２は、システムコントローラ２００からの指令に応じて、ニス塗布部２２の動作を制御する。
【０１６３】
ニス乾燥制御部２２４は、システムコントローラ２００からの指令に応じて、ニス乾燥部２４の動作を制御する。
【０１６４】
排紙制御部２２６は、システムコントローラ２００からの指令に応じて、排紙台７６（図１参照）に用紙Ｐがスタックされるように、排紙部２６の動作を制御する。
【０１６５】
操作部２３０は、操作ボタン、キーボード、タッチパネル等の操作部材を備え、その操作部材から入力された操作情報をシステムコントローラ２００に送出する。システムコントローラ２００は、この操作部２３０から送出された操作情報に応じて各種処理を実行する。
【０１６６】
表示部２３２は、ＬＣＤパネル等の表示装置を備え、システムコントローラ２００からの指令に応じて、装置の各種設定情報、異常情報などの情報を表示装置に表示させる。
【０１６７】
インラインセンサ５８から出力される検出信号（検出データ）は、ノイズ除去、波形整形等の処理が施され、システムコントローラ２００を介して予め決められたメモリ（例えば、ＲＡＭ２００Ｃ）に記憶される。
【０１６８】
図１４のシステムコントローラ２００、搬送制御部２１０、給紙制御部２１２、ニス塗布制御部２２２の組み合わせが、図５で説明した制御部１５０に相当している。図５で説明した非常停止ボタン１５６や用紙送り指示部１６６は、図１４の操作部２３０に含まれる。
【０１６９】
本実施形態のインラインニス機能を備えたインクジェット印刷装置１０によれば、ジャムの発生、カバーオープンの検出、非常停止ボタンの押下など、印刷動作中に用紙搬送動作を強制停止させる事態が生じた場合、その後、用紙搬送経路内に残る残留用紙を排出する用紙送り動作を行う際に、その残留用紙を利用してニス胴表面のニスの拭き取り清掃を行うことができる。これにより、ニス胴が自動的にクリーニングされ、次の印刷に備えることができる。
【０１７０】
＜インクについて＞
図１及び図２に示したインクジェット印刷装置１０では水性ＵＶインクを用いたが、発明の実施に際して、使用するインクの種類については限定されない。必ずしも紫外線硬化性のあるインクである必要はなく、通常のインクを用いることができる。通常のインクを用いた場合には、インク乾燥部２０における紫外線照射ユニット６９は省略することができる。また、図１ではインク乾燥部２０として加熱乾燥ユニット６８と紫外線照射ユニット６９を併用する構成を例示したが、紫外線硬化型インクを用いる場合、加熱乾燥ユニットを省略し、紫外線照射ユニットのみの構成とする形態や、紫外線照射ユニットと冷風装置とを組み合わせる形態なども可能である。
【０１７１】
＜描画方式について＞
上述の実施形態ではラインヘッドを用いたライン方式を例示したが、インクジェットヘッドとしては、短尺のシリアルヘッドを用い、ヘッドを用紙（印刷媒体）の幅方向に走査させながら記録を行うシャトル方式を採用してもよい。
【０１７２】
＜ヘッドと用紙を相対移動させる手段について＞
上述の実施形態では、停止したインクジェットヘッドに対して用紙を搬送する構成を例示したが、本発明の実施に際しては、停止した用紙に対してインクジェットヘッドを移動させる構成も可能である。
【０１７３】
＜吐出方式について＞
インクジェットヘッドにおける各ノズルから液滴を吐出させるための吐出用の圧力（吐出エネルギー）を発生させる手段は、ピエゾアクチュエータ（圧電素子）に限らない。圧電素子の他、静電アクチュエータ、サーマル方式（ヒータの加熱による膜沸騰の圧力を利用してインクを吐出させる方式）におけるヒータ（加熱素子）や他の方式による各種アクチュエータなど様々な圧力発生素子（吐出エネルギー発生素子）を適用し得る。ヘッドの吐出方式に応じて、相応のエネルギー発生素子が流路構造体に設けられる。
【０１７４】
＜処理液について＞
処理液付与工程は、インク組成物を用いたインク付与工程の前又は後のいずれに設けてもよいが、実施形態で説明したように、処理液を付与した後にインク付与工程を設けた態様が好ましい。具体的には、記録媒体上に、インク組成物を付与する前に、予めインク組成物中の顔料及び／又は自己分散性ポリマーの粒子を凝集させるための処理液を付与しておき、記録媒体上に付与された処理液に接触するようにインク組成物を付与して画像化する態様が好ましい。これにより、インクジェット記録を高速化でき、高速記録しても濃度、解像度の高い画像が得られる。
【０１７５】
なお、本発明の実施に際して、処理液の付与は必ずしも必要とされない。処理液の付与工程を省略する構成も可能である。
【０１７６】
＜印刷媒体について＞
「印刷媒体」には、記録媒体、印字媒体、被記録媒体、被画像形成媒体、受像媒体、被吐出媒体など様々な用語で呼ばれるものが含まれる。本発明の実施に際して、印刷媒体の材質や形状等は、特に限定されず、枚葉のカット紙、シール用紙、ＯＨＰシート等の樹脂シート、フィルム、布、不織布、配線パターン等が形成されるプリント基板、ゴムシート、その他材質や形状を問わず、様々なシート体を用いることができる。また、連続用紙を切断して使用する構成も可能である。
【０１７７】
印刷媒体として、一般のオフセット印刷などに用いられる、いわゆる上質紙、コート紙、アート紙などのセルロースを主体とする一般印刷用紙を用いることができる。セルロースを主体とする一般印刷用紙は、水性インクを用いた一般のインクジェット法による画像記録においては比較的インクの吸収、乾燥が遅く、打滴後に色材移動が起こりやすく、画像品質が低下しやすいが、処理液を用いる画像形成方法によると、色材移動を抑制して色濃度、色相に優れた高品位の画像の記録が可能である。
【０１７８】
＜実施形態の変形例＞
図１及び図２で説明したインクジェット印刷装置１０の形態に限らず、様々な変形が可能である。例えば、用紙搬送部においてベルト搬送部を用いる構成も可能である。
【０１７９】
また、インク乾燥部２０やニス乾燥部２４の搬送路の長さや乾燥ユニットの構成についても様々な設計が可能である。例えば、インク乾燥部２０において、用紙搬送方向の上流側に紫外線照射ユニットを配置し、下流側に加熱乾燥ユニットを配置する構成も可能である。用紙搬送部の構成により、強制停止時に用紙搬送経路内に残る残留用紙の枚数は様々であるが、これら複数枚の残留用紙のうち、インクや処理液が転移しない程度に乾燥、硬化している用紙を利用してニス胴の自動清掃を行うことができる。
【０１８０】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有するものにより、多くの変形が可能である。
【符号の説明】
【０１８１】
１０…インクジェット印刷装置、１２…給紙部、１８…描画部、２０…インク乾燥部、２２…ニス塗布部、２４…ニス乾燥部、２６…排紙部、４２…処理液胴、４６…処理液乾燥胴、５２…描画胴、５５…用紙浮き検出センサ、５６Ｃ，５６Ｍ，５６Ｙ，５６Ｋ…インクジェットヘッド、６５…ニス圧胴、６８…加熱乾燥ユニット、６９…紫外線照射ユニット、８０…ニスユニット、８２…ニス胴、８４…ニス供給ローラ、８６…ニスチャンバー、１１０…サブフレーム、１０６…昇降モータ、１３６…ニス供給ローラ接離用エアシリンダ、１５０…制御部、１５４…カバーセンサ、１５６…非常停止ボタン、１６０…用紙搬送駆動用モータ、１６６…用紙送り指示部、１７０…ニス、２００…システムコントローラ、２５０…搬送系、Ｐ…用紙
【図１】
2015044345.tif 000003
【図２】
2015044345.tif 000004
【図３】
2015044345.tif 000005
【図４】
2015044345.tif 000006
【図５】
2015044345.tif 000007
【図６】
2015044345.tif 000008
【図７】
2015044345.tif 000009
【図８】
2015044345.tif 000010
【図９】
2015044345.tif 000011
【図１０】
2015044345.tif 000012
【図１１】
2015044345.tif 000013
【図１２】
2015044345.tif 000014
【図１３】
2015044345.tif 000015
【図１４】
2015044345.tif 000016